【事件の表示】
　平成１１年特許願第２５５９１０号「バランスウエイト」の拒絶の査定に対する審判事件［平成１３年　３月２７日出願公開、特開２００１−　８０８８６号］について、次のとおり審決する。
【結　論】
　本件審判の請求は、成り立たない。
【理　由】
１．手続の経緯
（１）本願は、平成１１年９月９日の特許出願であって、平成１３年３月２７日に拒絶をすべき旨の査定がなされ、その査定の謄本の送達があった日（発送日：平成１３年４月３日）から３０日以内である平成１３年５月１日に、その査定を不服として審判請求したものである。
（２）そして、その審判請求の日から３０日以内である平成１３年５月３１日に、願書に添付した明細書を補正すべく手続補正書が提出されたが、当審において「平成１３年５月３１日付けの手続補正を却下する。」との決定がなされた。
　
２．本願発明
　本願の特許請求の範囲の請求項１ないし５に係る発明は、平成１２年９月２７日付けの手続補正書で補正された明細書及び図面の記載からみて、その特許請求の範囲の請求項１ないし５に記載された事項により特定されるとおりであって、特許請求の範囲の請求項１に係る発明（以下、「本願発明」という。）は、次の事項により特定されるとおりである。
　「【請求項１】　金属片類を樹脂で固結した樹脂コンクリートからなり、筺体を有さないことを特徴とするバランスウエイト。」
　
３．原査定における拒絶の理由の概要
　原査定における拒絶の理由の概要は、平成１２年７月１８日付けの拒絶理由通知書及び平成１３年３月２７日付けの拒絶査定書の記載からみて、次のとおりである。
　「本願発明は、本願の出願より前に頒布された刊行物である引用例１〜３に記載された発明及び引用例４に記載されるような周知の技術的事項に基づいて当業者が容易に発明できたものであるから、特許法第２９条第２項の規定により特許を受けることができない。
　したがって、本願は、拒絶の査定をすべきものである。　
　引用例１：実願昭６０−１８５９５２号（実開昭６２−９４１５７号）のマイクロフィルム
　引用例２：実願昭５８−２０４３１４号（実開昭６０−１０５５７９号）のマイクロフィルム
　引用例３：特開平９−１３６３１１号公報
　引用例４：特開平８−１６９６９６号公報  」
　
４．引用例に記載された発明
（１）引用例１：実願昭６０−１８５９５２号（実開昭６２−９４１５７号）のマイクロフィルム　
　引用例１には、次のような技術的事項が記載されている。
イ．「１．コンクリートによって所定の形状となった本体１０における少なくとも外部に露出する表面に表面保護層を設けたことを特徴とするカウンタウエイト。…
３．前記表面保護層を樹脂を染込ませたものとしたことを特徴とする実用新案登録請求の範囲第１項記載のカウンタウエイト。」（明細書第１頁実用新案登録請求の範囲）
ロ．「第１のカウンタウエイトは高価な鋳造製であるからコスト的に不利である。第２のカウンタウエイトでは中空箱状の本体を板金で製作するので、製作が面倒であると共に、特にテーパーや丸み、曲げや段差の多い複雑形状であると製作が著しく面倒となって板金コストが高くなる。第３のカウンタウエイトでは、コンクリート自体の引張強度やじん性が低いために割れや欠けが生じ易いと共に、表面に微細な凹凸が生じて仕上りが悪く見栄えが悪くなる。」（明細書第２頁第９〜１９行）
ハ．「第２・第３のカウンタウエイトはコンクリートの比重が小さいので第１のカウンタウエイトよりも容積が大きくなるが、コスト的には第１のカウンタウエイトよりも有利となる。」（明細書第２頁第４〜７行）
ニ．「第４図は第２実施例を示し、コンクリートで製造後に乾燥して各表面より樹脂を染込ませて表面保護層を形成してある。これにより、コンクリート組織内の隙間に樹脂が含浸して硬化するから、組織が強化されて引張強さ、じん性が向上して割れや欠けが生じ難くなると共に、表面の微細な凹凸に樹脂が入り込んで滑らかな仕上りとなり、外観が見栄え良くなる。」（明細書第４頁第１５行〜第５頁第３行）
　これらの記載事項によると、引用例１には、次のとおりの発明（以下、「引用発明」という。）が記載されていると認めることができる。
　「コンクリートで製造後に乾燥して各表面より樹脂を染込ませて表面保護層を形成してあって、板金で覆われていないカウンタウエイト。」
（２）引用例２：実願昭５８−２０４３１４号（実開昭６０−１０５５７９号）のマイクロフィルム
　引用例２には、次のような技術的事項が記載されている。
ホ．「強度，耐蝕性に優れた複合樹脂またはファイバーなどの複合材料で外殻体３を構成し、該外殻体３の空胴内に鉄若しくは鉄より比重の大きい金属スクラップ又は其他の金属６を収納して重量をもたせてなる荷役産業車輛のバランスウエイト。」（明細書第１頁実用新案登録請求の範囲）
　この記載事項からみて、引用例２には、「荷役産業車輛のバランスウエイトにおいて、バランスウエイトに必要とする重量をもたせるために比重の大きい鉄又は鉄より比重の大きい金属スクラップをその構成物や組成物となる素材として選択すること。」が記載されていて、このようなことは、従来周知の技術的事項であると認めることができる。
（３）引用例３：特開平９−１３６３１１号公報
　引用例３には、次のような技術的事項が記載されている。
ヘ．「本発明は、コンクリートブロック、コンクリート側溝蓋等、中抜きを必要とするコンクリート二次製品全般を製造するために使用するコンクリート型枠に関する。」（第１欄段落【０００１】）
ト．「中抜き型枠５に使用するレジンコンクリートの配合は、合成樹脂５〜２０重量部、充填剤５〜２０重量部、骨材６０〜９０重量部とすることができる…合成樹脂としては、ポリエステル樹脂、ビニルエステル樹脂等を使用できるが、ビニルエステル樹脂は耐アルカリ性であるためセメントに対する耐久性が優れている。」（第５〜６欄段落【００３４】）
　これらの記載事項からみて、引用例３には、「強靱さの必要とされるコンクリート側溝蓋等の製品に用いられる型枠を「骨材を樹脂で固結したポリエステル樹脂等からなる樹脂コンクリート」で製造すること。」が記載されていて、このようなことは、従来周知の技術的事項であると認めることができる。
　
５．本願発明と引用発明との対比
　本願発明と引用発明とを対比すると、引用発明の「板金で覆われていないカウンタウエイト」は、その技術的意義において、本願発明の「筺体を有さないバランスウエイト」に相当すると認められる。
　また、本願発明の「金属片類を樹脂で固結した樹脂コンクリート」と引用発明の「コンクリートで製造後に乾燥して各表面より樹脂を染込ませて表面保護層を形成したもの」とは、「樹脂の結合力を利用した塊製品」の限度において一致していると認められる。
　してみると、本願発明と引用発明の一致点及び相違点は、次のとおりである。
＜一致点＞
　樹脂の結合力を利用した塊からなり、筺体を有さないバランスウエイト。
＜相違点＞
　樹脂の結合力を利用した塊製品の態様について、本願発明では、「金属片類を樹脂で固結した樹脂コンクリート」となっているのに対し、引用発明では、「コンクリートで製造後に乾燥して各表面より樹脂を染込ませて表面保護層を形成」となっている点。
　
６．相違点の検討及び判断
　以下、相違点について検討する。
　バランスウエイトにおいて、その用途に応じた比重や強靱さが必要なことは、引用例１の記載事項ハ、ニからみても従来周知の技術的事項と認められる。
　また、物の比重は、その構成物や組成物の比重によって決まるものであるから、比重の大きいものが潜在的に望まれるバランスウエイトの素材の選択に際し、コストや製造の容易性等を考慮しつつ、比重の大きい構成物や組成物を選択することは、当業者にとって適宜実施できる設計的事項にすぎない。
　また、このような比重の大きい構成物や組成物を選択するに際し、金属片類を選択することは、バランスウエイトに必要な重量をもたせるために比重の大きい鉄又は鉄より比重の大きい金属スクラップをその構成物や組成物となる素材として選択することが、引用例２にみられるように従来周知の技術的事項であることに照らせば、当業者にとって何らの困難性もない。
　さらに、引用発明のようにコンクリートの結合力により、バランスウエイト全体として形状を維持することが、従来周知の技術的事項である上に、コンクリートの中に金属や石等の剛性のある素材を骨材として混合することが広く採用されていて、しかも、強靱さの必要とされるコンクリート側溝蓋等の製品に用いられる型枠を「骨材を樹脂で固結したポリエステル樹脂等からなる樹脂コンクリート」で製造することが引用例３にみられるように従来周知の技術的事項である。
　してみると、引用発明１の採用に際し、比重を増すためにコンクリートに金属片類を混合し、さらに、結合力や強靱さを増すために、コンクリートの素材として引用例３にみられるように従来周知のポリエステル樹脂等からなる樹脂コンクリートを選択することは、当業者にとって容易に想到できたものというべきである。
　そして、このように金属片類を樹脂で固結した樹脂コンクリートを採用することにより本願発明が奏する効果は、引用発明及び従来周知の技術的事項に基づいて当業者が予測することができる効果を超えるものではない。
　
７．むすび
　したがって、本願発明は、引用発明及び従来周知の技術的事項に基づいて当業者が容易に発明をすることができたものであるから、特許法第２９条第２項の規定により特許を受けることができない。
　よって、結論のとおり審決する。